(57)【要約】【課題】棚本体の前面部に装飾用部材を、外観において固定部を露出することがないように固定し、浴室用収納棚の意匠性を高める。【解決手段】浴室用収納棚の棚本体２は、外周を上面側に立ち上げられた立ち上がり部で囲まれており、前面立ち上がり部６の前壁部１６には嵌合部７が設けられ、装飾用部材３は断面略コの字形状で形成され、装飾用部材３の一方の端部に嵌合部８が設けられ、装飾用部材３の嵌合部８を、前面立ち上がり部６の嵌合部７に嵌めて、装飾用部材３のもう一方の端部を前面立ち上がり部６の後壁部１７に押し当てて固定し、装飾用部材３を、その側端面は棚本体２の側面立ち上がり部１３によって覆われるようにして、棚本体２の前面立ち上がり部６に固定する。【選択図】図２
2015002887.tif 000002
【特許請求の範囲】
【請求項１】
外周を上面側に立ち上げられた立ち上がり部を備えた棚本体と、棚本体の前面立ち上がり部に固定される装飾用部材とからなる浴室用収納棚において、前面立ち上がり部に設けられた嵌合部と装飾用部材に設けられた嵌合部が嵌め合わされて固定され、両嵌合部は装飾用部材に覆われており、装飾用部材の側端面は棚本体の側面立ち上がり部によって覆われていることを特徴とする浴室用収納棚。
【請求項２】
請求項１に記載の浴室用収納棚において、前面立ち上がり部は、嵌合部よりも後方に設けられ、平面部が形成された後壁部を備え、後壁部の平面部に装飾用部材の一面を当接させることを特徴とする浴室用収納棚。
【請求項３】
請求項１又は２に記載の浴室用収納棚において、前面立ち上がり部は、嵌合部から上面側に立ち上がり、平面部が形成された前壁部を備え、前壁部の平面部に装飾用部材の一面を当接させることを特徴とする浴室用収納棚。
【請求項４】
請求項１から３のいずれかに記載の浴室用収納棚において、装飾用部材の嵌合部は、Ｊ字状に下面から上面に折り返されていることを特徴とする浴室用収納棚。
【請求項５】
請求項１から４のいずれかに記載の浴室用収納棚において、棚本体の底面には後壁部の棚部側端部に沿って溝が設けられ、溝に装飾用部材の後壁部側の端部を差し込む形状としていることを特徴とする浴室用収納棚。
【発明の詳細な説明】
【技術分野】
【０００１】
本発明は、浴室の壁面等に取り付けられる浴室用収納棚に関し、特に、収納棚の前面に装飾用部材を備える浴室用収納棚に関するものである。
【背景技術】
【０００２】
従来、浴室の壁面に取り付けられる浴室用収納棚において、浴室の壁面に取り付ける側（壁面側）に、装飾用部材を固着する構成が知られている。この固着構造としては、例えば、浴室用収納棚の壁面側に嵌合爪を設け、この嵌合爪に装飾用部材に設けた嵌合孔を嵌合して固着する構成等がある。
【０００３】
また、従来、収納棚の前面側に収納棚本体とは別の部材を設けた構成は、知られている。例えば、棚本体の周縁部を包囲する支持バンドが設けられている構成（特許文献１参照）、棚板の浴室内側に前柵が設けられている構成（特許文献２参照）、さらに、棚板部の前面側をカバーするように転倒防止ガードを設けた構成（特許文献３参照）等が知られている。
【先行技術文献】
【特許文献】
【０００４】
【特許文献１】特開平１１−３５０７５８号公報
【特許文献２】特開２００５−１３１１６５号公報
【特許文献３】特許第４２２７９３７号公報
【発明の概要】
【発明が解決しようとする課題】
【０００５】
従来の浴室用収納棚の壁面側に装飾用部材を備える構成では、上記のとおり、浴室用収納棚の壁面側に嵌合爪を設け、この嵌合爪に装飾用部材に設けた嵌合孔を嵌合して固着するような構成を採用しており、浴室用収納棚を壁面から取り外すと、嵌合爪が嵌合孔から露出し、見栄えも悪く、清掃性が必ずしも良くない。
【０００６】
ところで、上記従来例のとおり、収納棚の前面側に収納棚本体とは別の部材を設けた構成は知られているが、上記従来例で挙げた発明は、いずれも支持バンドや転倒防止ガード等の機能的な部材であり、収納棚の前面側に装飾用部材を備えるという構成ではない。
【０００７】
収納棚の前面側に装飾用部材を設けると、収納棚に斬新的な意匠性を付与し、見栄えを良くすることができる。しかしながら、従来例のように、収納棚の嵌合爪に装飾用部材を嵌合するような構成を、装飾用部材を収納棚の前面に固定する固定構造に適用した場合は、嵌合爪が嵌合孔から露出した状態の嵌合部が、前方から見えてしまい、見栄えが悪い。
【０００８】
本発明は、上記従来の問題点を解決することを目的とするものであり、収納棚の前面側に装飾用部材を設けた浴室用収納棚であって、装飾用部材を収納棚に嵌合する固定構造が露出して見えるようなことがなく、意匠性にすぐれた浴室用収納棚を実現することを課題とする。
【課題を解決するための手段】
【０００９】
本発明は上記課題を解決するために、外周を上面側に立ち上げられた立ち上がり部を備えた棚本体と、棚本体の前面立ち上がり部に固定される装飾用部材とからなる浴室用収納棚において、前面立ち上がり部に設けられた嵌合部と装飾用部材に設けられた嵌合部が嵌め合わされて固定され、両嵌合部は装飾用部材に覆われており、装飾用部材の側端面は棚本体の側面立ち上がり部によって覆われていることを特徴とする浴室用収納棚を提供する。
【００１０】
前面立ち上がり部は、嵌合部よりも後方に設けられ、平面部が形成された後壁部を備え、後壁部の平面部に装飾用部材の一面を当接させる構成とすることが好ましい。
【００１１】
前面立ち上がり部は、嵌合部から上面側に立ち上がり、平面部が形成された前壁部を備え、前壁部の平面部に装飾用部材の一面を当接させる構成とすることが好ましい。
【００１２】
装飾用部材の嵌合部は、Ｊ字状に下面から上面に折り返されている構成とすることが好ましい。
【００１３】
棚本体の底面には後壁部の棚部側端部に沿って溝が設けられ、溝に装飾用部材の後壁部側の端部を差し込む形状としている構成とすることが好ましい。
【発明の効果】
【００１４】
本発明に係る浴室用収納棚によれば、次のような効果を生じる。
（１）棚本体の前面部に装飾用部材を固定し、しかも固定部を外観に露出することなく、また、装飾用部材の左右の側端面は、側面立ち上がり部の内面側に隠れて、外部に露出しないので、浴室用収納棚の意匠性を高めることができる。
（２）棚本体の前面立ち上がり部に装飾用部材を嵌め合わせて固定されることで、接着剤等を使用することなく、簡単な構成、作業で固定することができ、しかも、固定後はがたつきが生じることなく、はずれにくい。
【図面の簡単な説明】
【００１５】
【図１】本発明に係る浴室用収納棚の実施例１を説明する斜視図であり、（ａ）は浴室用収納棚の全体構成を示し、（ｂ）は棚本体を示し、（ｃ）は装飾用部材を示す。
【図２】上記実施例１の浴室用収納棚の構成及び組立を説明する図であり、（ａ）は斜視図であり、（ｂ）、（ｃ）は断面図である。
【図３】（ａ）は上記実施例１の浴室用収納棚の要部を説明する斜視図であり、（ｂ）は（ａ）のさらに要部の拡大図である。
【図４】（ａ）は本発明に係る浴室用収納棚の実施例２を説明する斜視図であり、（ｂ）は実施例２の変形例を説明する斜視図である。
【図５】（ａ）は本発明に係る浴室用収納棚の実施例３を説明する斜視図であり、（ｂ）は実施例３の変形例を説明する斜視図である。
【図６】（ａ）は本発明に係る浴室用収納棚の実施例４を説明する斜視図であり、（ｂ）はさらに要部拡大図であり、（ｃ）は棚本体の前後方向に対して垂直な断面について棚本体側から要部を見た状態を示す図である。
【図７】上記実施例１の浴室用収納棚を浴室の壁に取り付けた使用例を示す図である。
【発明を実施するための形態】
【００１６】
本発明に係る浴室用収納棚を実施するための形態を、実施例に基づき図面を参照して、以下説明する。浴室用収納棚は、通常、浴室の壁面等に水平に取り付けられて使用されるが（図７参照）、本明細書では、浴室用収納棚の奥側（浴室の壁面側）を後側とし、浴室用収納棚の手前側を前側とし、浴室用収納棚を前方から見て左右を左右として説明する。
【実施例】
【００１７】
（実施例１）
図１（ａ）は、本発明に係る浴室用収納棚の実施例１の全体構成を示している。この浴室用収納棚１は、図１（ｂ）に示す棚本体２と、図１（ｃ）に示す装飾用部材３と、を備えている。
【００１８】
図２（ａ）、（ｂ）に示すように、装飾用部材３を棚本体２の前面立ち上がり部６に上方から差し込み、図２（ｃ）に示すように、前面立ち上がり部６に設けられた嵌合部７と、装飾用部材３に設けられた嵌合部８とを嵌め合わせて固定することで、浴室用収納棚１が構成される。
【００１９】
本実施例１の棚本体２は、樹脂で一体成形して製造されるが、樹脂又は樹脂以外の材料で形成してもよい、また別体で形成してもよい。棚本体２は、図１（ｂ）に示すように、底面１１の外周は、上面側に立ち上げられた立ち上がり部で囲まれている。立ち上がり部は、前面立ち上がり部６、後面立ち上がり部１２、左右の側面立ち上がり部１３とから成る。
【００２０】
前面立ち上がり部６は、左右の側面立ち上がり部１３の間に形成されており、図１（ｂ）、図２（ｂ）、（ｃ）、図３（ａ）、（ｂ）に示すように、前壁部１６、後壁部１７及び嵌合部７を備えている。
【００２１】
前壁部１６と後壁部１７は、前後方向に間隔をおいて設けられているが、図１（ｂ）に示すように、棚本体２の横幅方向に間隔をおいて設けられた複数の補強用のリブ２１で繋がれて（結合されて）いる。これによって、前壁部１６、後壁部１７及びリブ２１等で囲まれた空間２２が形成されている。なお、リブ２１は、複数でなく１つ設けた構成でもよい。
【００２２】
前壁部１６は、図２（ｂ）、（ｃ）、図３（ｂ）等に示すように、嵌合部７から上面側に立ち上がり、その前面側に平面部２３が形成された構成である。換言すると、前面立ち上がり部６の嵌合部７は、前壁部１６の下部に連続的に形成されている。
【００２３】
より具体的には、前面立ち上がり部６に設けられた嵌合部７は、図３（ｂ）に示すように、前壁部１６の下端に連続して下方に突出する突出部２６と、前壁部１６の下部前面から前方に向かう水平部２７と、水平部２７から下方に向かう垂直部２８とから断面略Γ状に形成されている。
【００２４】
前壁部１６の前面側の上部には、図２（ｂ）、図３（ｂ）に示すように、頂部に向けて後方に序々に湾曲したガイド面３１が形成されている。このガイド面３１は、後記するが、装飾用部材３を上方から前面立ち上がり部６に差し込む際に、装飾用部材３の嵌合部８を滑らかにガイドする。
【００２５】
後壁部１７は、図２（ｂ）、図３（ｂ）に示すように、棚本体２の底面１１から上方に立ち上がるように形成されている。後壁部１７の後面側には平面部３２が形成されている。なお、後壁部１７は、前面立ち上がり部６の嵌合部７の後方に位置するように設けられている。
【００２６】
装飾用部材３は、図１（ｃ）、図２（ｂ）、図３（ｂ）に示すように、前面部３５、後面部３６、頂部３７及び嵌合部８とから成り、その断面形状は、略コの字形状に形成されている。装飾用部材３は、本実施例１では弾性を有する金属で形成され、前後方向に弾力的に拡開可能である。なお、装飾用部材３は、樹脂、樹脂メッキ等の材料で形成されていてもよく、その製造は、押し出し成形、その他の製法でもよい。
【００２７】
装飾用部材３の長手方向の長さ（左右方向の長さ）は、図１（ｂ）に示すように、前面立ち上がり部６の長手方向の長さ（左右方向の長さであって、側面立ち上がり部１３の間の長さ）と同じである。
【００２８】
従って、側面立ち上がり部１３の間において、前面立ち上がり部６に上方から差し込んで固定することで、前面立ち上がり部６を長手方向において完全にカバーできる。また、装飾用部材３の左右の側端面は、側面立ち上がり部１３の内面側に隠れて、外部に露出しない。
【００２９】
装飾用部材３の嵌合部８は、図２（ｂ）、図３（ｂ）に示すように、前面部３５の下端に連続して形成されており、前面部３５の下端から後方に折り曲げられた水平な下面４０と、下面４０から上方かつ前方にＪ字状（又はレ字状）に折り返された上面４１とから成る。
【００３０】
棚本体２の底面１１には、図２（ｂ）、図３（ｂ）に示すように、後壁部１７の棚部側端部（後壁部１７の下端部４２の後面部）に沿って、溝４５が設けられている。この溝４５は、装飾用部材３の後面部３６の下端部４６を差し込んで係合することが可能な形状に形成されている。
【００３１】
棚本体２の底面１１は、図１（ｂ）、図３（ａ）に示すように、後方に向けて下方に傾斜した傾斜面として形成されている。底面１１の後端部は、底面１１における最下位となっており、排水用の長孔４７が左右方向に向けて伸びるように形成されている。
【００３２】
（作用）
以上の構成から成る実施例１の浴室用収納棚１の作用を説明する。図１（ｂ）、（ｃ）に示すような、互いに分離されている状態の棚本体２と装飾用部材３を組み立てて図１（ａ）に示すような浴室用収納棚１を完成する場合は、図２（ａ）、（ｂ）に示すように、上方から装飾用部材３を、棚本体２の前面立ち上がり部６を外側からカバーするように、下方に向けて差し込む。
【００３３】
この差し込みの際に、装飾用部材３の嵌合部８は、前壁部１６のガイド面３１で前方に装飾用部材３の弾力に抗して前方に撓うようにしてガイドされ、そのために、装飾用部材３は前後方向に拡開されながら下方に向けて差し込まれる。
【００３４】
装飾用部材３が下方まで差し込まれると、装飾用部材３の前面部３５及び後面部３６は前壁部１６の平面部２３及び後壁部１７の平面部３２に弾力的に押し当てられるようにして当接される。
【００３５】
そして、装飾用部材３の嵌合部８は、前面立ち上がり部６の嵌合部７に、図２（ｃ）、図３（ａ）、（ｂ）に示すように、嵌合して係合される。また、装飾用部材３の後面部３６の下端は溝４５内に入り込んで係合され、その結果、装飾用部材３は前面立ち上がり部６に固定された状態となる。
【００３６】
このように装飾用部材３が前面立ち上がり部６に固定された状態では、装飾用部材３の前面部３５及び後面部３６は、それぞれ前壁部１６の平面部２３及び後壁部１７の平面部３２に当接し、装飾用部材３の後面部３６の下端部４６が溝４５に係合して前後方向への移動が規制される。
【００３７】
さらに、装飾用部材３の嵌合部８は、前面立ち上がり部６の嵌合部７の水平部２７によって上方への移動が規制され、装飾用部材３の頂部３７は前面立ち上がり部６の前壁部１６の上端部によって下方への移動が規制されるために、上下方向の移動も拘束される。
【００３８】
なお、装飾用部材３の左右方向の長さは、前面立ち上がり部６の左右方向の長さと同じであり、側面立ち上がり部１３の間に上方から差し込まれるので、装飾用部材３は、左右方向の移動も拘束される。
【００３９】
従って、装飾用部材３は、前面立ち上がり部６に上方から差し込む作業を行うだけで、両面テープや接着剤等使用することなく、簡単かつ比較的安価な構成で、外れたりはがれたりしにくく、確実に固定される。しかも、装飾用部材３は、上記のとおり、前後方向、左右方向及び上下方向にその動きが規制されるので、がたつきが無く、安定した状態で固定される。
【００４０】
特に、装飾用部材３の前面部３５及び後面部３６は、それぞれ前壁部１６の平面部２３及び後壁部１７に当接しているので、装飾用部材３の前面部３５又は後面部３６を前後方向に押しても、くぼんだり、撓んだりするような変形が生じることがなく、強度を高めることができる。
【００４１】
また、前面立ち上がり部６は、その左右端部が側面立ち上がり部１３の内面と連続的に形成されているので、外側に露出するようなことはなく、しかも、装飾用部材３が前面立ち上がり部６に固定された状態では、装飾用部材３が前面立ち上がり部６を外側から完全にカバーするので、使用者が外側から見ても、前面立ち上がり部６が露出するような部分がなく、意匠性が高まり、商品として高級感が生じる。
【００４２】
なお、装飾用部材３は、その嵌合部８を前面立ち上がり部６の嵌合部７に嵌合することで固定でき、しかも、それらの嵌合部７、８は、装飾用部材３に覆われており、使用者が通常に外観しても見えないので、従来例において、嵌合爪を装飾用部材に設けた嵌合孔を嵌合して固定するような構成に比べて、意匠性にすぐれている。
【００４３】
図７は、実施例１の浴室用収納棚１を浴室の壁４８に取り付けた使用例を示す図である。この使用例では、鏡４９の側方に３つの浴室用収納棚１が、浴室の壁４８に上下方向に３段となるように取り付けられている。５０は握りバーであり、５５は照明具である。
【００４４】
この使用例に示すように、浴室用収納棚１は、浴室の壁４８のある程度高い位置に取り付けられているので、浴室用収納棚１の下側が、特に浴槽に浸かっている際等には、入浴者の目に入りやすい。しかし、上記のとおり嵌合部７、８は、装飾用部材３に覆われているので、下方から見えないので、見栄えを損なうことがない。
【００４５】
さらに、装飾用部材３は、上記のとおり、側面立ち上がり部１３の間に上方から差し込まれて固定され、装飾用部材３の左右の端面が外部に露出することがないので、意匠性を損なうことがないばかりでなく、装飾用部材３が金属製の場合は、その端面に触れて手が切れたりするようなことはなく、また、樹脂製の場合は、パーティングラインのバリや段差に触れて手が切れたりするようなことはないので、安全性も損なうことがない。
【００４６】
なお、本実施例１では装飾用部材３は、前部立ち上がり部６のみをカバーする構成について説明したが、装飾用部材３は、側面立ち上がり部１３もカバーする構成に適用してもよい。また、棚本体２に仕切りがある場合は、装飾用部材３は、側面立ち上がり部１３をカバーする構成に適用してもよい。
【００４７】
（実施例２）
図４（ａ）は、本発明に係る浴室用収納棚の実施例２を説明する図である。この実施例２の浴室用収納棚５１は、実施例１の浴室用収納棚１と略同じ構成であるので、相違する構成を中心に説明する。実施例１の浴室用収納棚１と同じ構成部分については同じ符号を使用する。
【００４８】
実施例１の浴室用収納棚１では、図２（ｃ）に示すように、溝４５に装飾用部材３の後面部３６の下端部４６を差し込んで係合するようにしたが、溝４５が浅いような場合では、係合が外れるようなことも想定される。このような場合であっても、より確実に装飾用部材３を固定するために、実施例２の浴室用収納棚１は、次のような構成とした。
【００４９】
実施例２の浴室用収納棚５１は、棚本体２の前面立ち上がり部６の後壁部１７の左右端部の後面に対向するように、棚本体２の左右の側面立ち上がり部１３の内面に、それぞれ受け杆５２を上下方向に向けて設けた構成を特徴とする。
【００５０】
この受け杆５２は、その前面５３が溝４５の前面５４（図２（ｂ）、図３（ｂ）も参照）と面一なるように設ける。このように側面立ち上がり部１３の内面に受け杆５２を設けたので、装飾用部材３の後面部３６は、その溝４５に係合されるだけでなく、受け杆５２にも当接してより確実に係合され、後方への動きが規制される。従って、装飾用部材３が、仮に溝４５からはずれても、前後方向にずれたり、ガタついたりしにくくなる。
【００５１】
（実施例２の変形例）
図４（ｂ）は、実施例２の浴室用収納棚の変形例を説明する図である。この変形例の浴室用収納棚５６は、棚本体２の底面１１と側面立ち上がり部１３の内面の角部に、それぞれ三角形の受け板５７を設けた構成を特徴とする。
【００５２】
この受け板５７は、その前面５８が溝４５の前面５４（図２（ｂ）、図３（ｂ）も参照）と面一なるように設ける。この変形例の浴室用収納棚５６の受け板５７は、上記受け杆５２と同じ作用効果を奏する。なお、実施例２の図４では、装飾用部材３は実施例１と同じであるため、装飾用部材３は図示していない。
【００５３】
（実施例３）
図５（ａ）は、本発明に係る浴室用収納棚１の実施例３を説明する図である。この実施例３の浴室用収納棚６１は、実施例１の浴室用収納棚１と略同じ構成であるので、相違する構成を中心に説明する。実施例１の浴室用収納棚１と同じ構成部分については同じ符号を使用する。
【００５４】
この実施例３の浴室用収納棚６１は、溝が棚本体２の底面１１より上方に配置された構成に特徴がある。具体的には、後壁部１７に沿った底面１１の前側部６２を上方に突出するような構成として、この前側部６２の上面に後壁部１７に沿うように溝６３を形成した。
【００５５】
上記のように溝６３が底面１１から上方に配置された構成としたので、実施例３の底面１１の上に溜まった水が溝６３に入り込みにくくなるので、水によって底面１１上のゴミが流されて溝６３に溜まりにくくなり、衛生的である。
【００５６】
（実施例３の変形例）
図５（ｂ）は、実施例４の浴室用収納棚１の変形例を説明する図である。この変形例の浴室用収納棚６６は、実施例３の浴室用収納棚６１と同様に、後壁部１７に沿った底面１１の前側部６７を上方に突出するような構成とした。しかし、この変形例の浴室用収納棚６６では、底面１１の前側部６７の上面６８には溝を形成することなく平坦な面とした。
【００５７】
そして、この平坦な前側部６７の上面６８に、装飾用部材３の後面部３６の下端部４６を載置し当接する構成とした。このように、浴室用収納棚６６は、前側部６７が底面１１より上方に形成され、溝が形成されていないので、ゴミが溜まりにくく、清掃性もよい。
【００５８】
但し、溝がないので、装飾用部材３の後面部３６の前後方向へのガタや移動が生じる可能性は皆無ではない。これを防止するために、実施例２及びその変形例において説明したように、棚本体２の側面立ち上がり部１３の内面に受け杆５２や受け板５７を設けた構成を組み合わせて採用してもよい。
【００５９】
（実施例４）
図６は、本発明に係る浴室用収納棚１の実施例４を説明する図である。この実施例４の浴室用収納棚７１は、実施例１浴室用収納棚１と略同じ構成であるので、相違する構成を中心に説明する。実施例１の浴室用収納棚１と同じ構成部分については同じ符号を使用する。
【００６０】
実施例４の浴室用収納棚７１の目的は、実施例２の浴室用収納棚１と同様であり、装飾用部材３を、前部立ち上がり部６からはずれにくくして、確実に固定することである。そして、装飾用部材３の後面部３６の下端部４６が、仮に溝４５との係合が外れても、装飾用部材３が前後方向に移動したりがたついたりしないようすることである。
【００６１】
実施例４の浴室用収納棚７１では、図６（ａ）〜（ｃ）に示すように、底面１１と側面立ち上がり部１３の角部にアール部７２を形成した。このアール部７２は、その前端面７３が溝４５の後面５４（図２（ｂ）、図３（ｂ）も参照）と同じ位置となるまで形成されており、従って、アール部７２の前端面７３が溝４５の後面５４と面一となるように形成されている。
【００６２】
上記構成から成る実施例４の浴室用収納棚７１によれば、装飾用部材３の後面部３６の下端部を溝４５に差し込んで係合した状態では、図６（ｃ）に示すように、装飾用部材３の後面部３６の下端部４６がアール部７２の前端面７３に当接する。
【００６３】
要するに、装飾用部材３の後面部３６の下端部４６は、溝４５との係合に加えてアール部７２の前端面７３とも係合し、しかもアール部７２の前端面７３との係合は、溝４５との係合よりさらに上方において行われることとなる。
【００６４】
換言すると、図６（ｃ）に示すように、溝４５の深さｄとすると、このアール部７２の前端面７３の位置では、あたかも溝４５の深さｄ’は、より深く形成されているかのような構成となる。
【００６５】
そのため、溝４５が浅くて後面部３６の下端部４６が溝４５から外れるようなことがあっても、アール部７２の前端面７３との係合が維持されるので、装飾用部材３が簡単に外れたりすることはなく、また前後方向に移動したりがたついたりせず、より確実な装飾用部材３の固定が可能となる。
【００６６】
この実施例４の浴室用収納棚７１では、実施例２の浴室用収納棚５１、５６のように、受け杆５２や受け板５７を特に設けることなく、底面１１と側面立ち上がり部１３の角部にアール部７２を形成し、その前端面７３を装飾用部材３の後面部３６の移動を規制するために活用したので、成形に際して複雑な金型を必要とすることなく、また構造もすっきりと簡単であるために、製造は比較的に容易にでき、ゴミが溜まりにくく、清掃性においてもすぐれている。
【００６７】
ところで、図６（ａ）、（ｂ）に示すように、前面立ち上がり部６の後壁部１７の左右端部の後面に、上下方向に伸びる帯状の切り欠き部（薄肉部）７６が形成されている。この切り欠き部７６は、実施例１〜３では特に説明をしていないが、実施例１〜３の浴室用収納棚においても形成されていることが好ましい。
【００６８】
切り欠き部７６が形成されている意義は次のとおりである。棚本体２を一体成形するために使用される金型（図示は省略）は、その一部に、溝４５に対応する薄い板片状の溝成形部を有する。しかしながら、溝４５がある程度深いと、溝成形部は上下方向の幅（高さ方向の幅）が大きくなり、その幅に比較して肉厚が薄くなるので、破損し易い。
【００６９】
そこで、金型の溝成形部の機械的強度を補うために、金型における溝成形部の左右両側に補強部を設けるとよい。切り欠き部７６は、成形に際して、このような金型の補強部に対応して形成される部分である。
【００７０】
この切り欠き部７６の左右方向の横幅ｗは、図６（ｂ）に示すように、底面１１と側面立ち上がり部１３の角部におけるアール部７２の左右方向の水平横幅ｗ’と同じ程度とする。
【００７１】
切り欠き部７６の左右方向の横幅ｗは、小さすぎると金型における溝成形部の補強部としての意味がなくなり、大きすぎると、装飾用部材３の後面部３６に対して凹んだ部分の面積が広くなりすぎて、装飾用部材３を内側から支持する面が減少するために、装飾用部材３の後面部３６を前方に押すとへっこんだり、撓んだりしてしまうという問題が生じる。
【００７２】
そこで、発明者は、研究開発の過程において、切り欠き部７６の左右方向の横幅ｗは、上記のとおりアール部７２の左右方向の水平横幅ｗ’と同じ程度とすると、上記両方の問題が解消されるという知見を得た。
【００７３】
なお、底面１１と側面立ち上がり部１３の角部は、装飾用部材３の後面部３６の移動を規制する構成であれば、アール部７２でなくても他の構成でもよい。例えば、Ｃ面カット（４５度の面取り）により直線状の傾斜面に形成してもよい。
【００７４】
以上、本発明に係る浴室用収納棚を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７５】
本発明に係る浴室用収納棚は上記のような構成であるから、浴室用収納棚、洗面用収納棚、それ以外の用途の収納棚にも適用可能である。
【符号の説明】
【００７６】
１  浴室用収納棚                         
２  棚本体                               
３  装飾用部材                           
６  前面立ち上がり部                     
７  前面立ち上がり部の嵌合部             
８  装飾用部材の嵌合部                   
１１  棚本体の底面                       
１２  後面立ち上がり部                   
１３  側面立ち上がり部                 
１６  前面立ち上がり部の前壁部           
１７  前面立ち上がり部の後壁部           
１８  前面立ち上がり部の嵌合部           
２１  リブ                               
２２  空間                               
２３  前壁部の平面部                     
２６  前面立ち上がり部の嵌合部の突出部   
２７  前面立ち上がり部の嵌合部の水平部   
２８  前面立ち上がり部の嵌合部の垂直部           
３１  前壁部のガイド面                   
３２  後壁部の平面部                     
３５  装飾用部材の前面部                 
３６  装飾用部材の後面部                 
３７  装飾用部材の頂部                   
４０  装飾用部材の嵌合部の下面           
４１  装飾用部材の嵌合部の上面           
４２  後壁部の下端部               
４５  溝                                 
４６  装飾用部材の後面部の下端部                 
４７  排水用の長孔 
４８  浴室の壁
４９  鏡
５０  握りバー
５１  実施例２の浴室用収納棚
５２  受け杆
５３  受け杆の前面
５４  溝の前面
５５  照明具
５６  変形例の浴室用収納棚
５７  受け板
５８  受け板の前面
６１  実施例３の浴室用収納棚
６２  底面の前側部
６３  溝
６６  変形例の浴室用収納棚
６７  底面の前側部
６８  底面の前側部の上面
７１  実施例４の浴室用収納棚
７２  アール部
７３  アール部の前端面
７６  前壁部の切り欠き部
【図１】
2015002887.tif 000003
【図２】
2015002887.tif 000004
【図３】
2015002887.tif 000005
【図４】
2015002887.tif 000006
【図５】
2015002887.tif 000007
【図６】
2015002887.tif 000008
【図７】
2015002887.tif 000009